(57)【要約】      （修正有）【課題】自動車のけん引フック取付部を利用したナンバープレートの取付を行う時に、けん引フックを取付けた状態で、自動車の前部又は後部に対するナンバープレートステー取付角度を容易に調整することができる、けん引フック・ナンバープレート取付装置を提供する。【解決手段】自動車のけん引フック取付部１に取付けられるアダプタ２０と、このアダプタ２０に装着されるナンバープレート取付部材３０と、けん引フック４０とからなり、ナンバープレート取付部材３０が、一方側に、ナンバープレートステー１０が取付けられるナンバープレートステー取付部を有し、他方側に、ナンバープレートステー１０が、取付角が調整されて取付けられ、アダプタ２０に装着されるアダプタ装着部３２を有し、けん引フック４０が、ねじ部４２と、ねじ部４２に螺合して取付けられ、螺合によってアダプタ２０、ナンバープレート取付部材３０を締付け固定する締付け固定部４５を有する。【選択図】図１
0003223447.tif 000002
【実用新案登録請求の範囲】
【請求項１】
自動車の前部又は後部に備えられるけん引フック取付部に、ナンバープレートを取り付けるナンバープレートステーが取り付けられることで、けん引フック取付部にナンバープレートが取り付けられるようにしたけん引フック・ナンバープレート取付装置において、
けん引フック取付部に取り付けられるアダプタと、該アダプタに装着されるナンバープレート取付部材と、前記アダプタに取付けられる自動車けん引用のけん引フックと、からなり、
前記ナンバープレート取付部材が、一方側に、前記ナンバープレートステーが取り付けられるナンバープレートステー取付部を有し、他方側に、前記ナンバープレートステーが、取付角が調整されて取り付けられ、前記アダプタに装着されるアダプタ装着部を有し、  前記けん引フックが、前記アダプタに螺合により取付けられるねじ部と、該ねじ部に螺合して取り付けられて、該螺合によって、前記アダプタ及び前記ナンバープレート取付部材を締め付け固定する締付け固定部を有すること
を特徴とするけん引フック・ナンバープレート取付装置。
【請求項２】
請求項１に記載のけん引フック・ナンバープレート取付装置において、前記アダプタは、一端がテーパ状に突出して形成された凸テーパ部を有し、前記アダプタ装着部は、テーパ状に溝が形成された凹テーパ部を有し、該凹テーパ部が該凸テーパ部に嵌合されることを特徴とするけん引フック・ナンバープレート取付装置。
【考案の詳細な説明】
【技術分野】
【０００１】
本考案は、けん引フック・ナンバープレート取付装置に関する。
【背景技術】
【０００２】
従来、自動車の前部又は後部に備えられるけん引フック取付部に、けん引フックの代わりにナンバープレートステーをけん引フック取付部に取付ける構造が知られている。
【考案の概要】
【考案が解決しようとする課題】
【０００３】
従来、この種の構造としては、自動車の前部又は後部に取付ける際、ナンバープレートステーの取付角度を調整する構造とはなっていないので、ナンバープレートステーの取付角度をうまく調整できないので、自動車のけん引フック取付部を利用したナンバープレートステーの取付が簡便にできないという問題があった。またこの種の構造は、上述のように自動車のけん引フック取付部にナンバープレートステーを取り付けた場合、けん引フックを取り付けたい場合には、ナンバープレートステーを取り外さなければならず、けん引フックを容易に取り換えられない問題があった。
【０００４】
本考案は、かかる点に鑑み、自動車のけん引フック取付部を利用したナンバープレートの取付を行う時に、けん引フックを取り付けた状態で、自動車の前部又は後部に対するナンバープレートステー取付角度を容易に調整することができ、けん引フック・ナンバープレート取付装置を提供することを目的とする。
【課題を解決するための手段】
【０００５】
本考案のけん引フック・ナンバープレート取付装置は、自動車の前部又は後部に備えられるけん引フック取付部に、ナンバープレートを取り付けるナンバープレートステーが取り付けられることで、けん引フック取付部にナンバープレートが取り付けられるようにしたけん引フック・ナンバープレート取付装置において、
けん引フック取付部に取り付けられるアダプタと、該アダプタに装着されるナンバープレート取付部材と、前記アダプタに取付けられる自動車けん引用のけん引フックと、からなり、
前記ナンバープレート取付部材が、一方側に、前記ナンバープレートステーが取り付けられるナンバープレートステー取付部を有し、他方側に、前記ナンバープレートステーが、取付角が調整されて取り付けられ、前記アダプタに装着されるアダプタ装着部を有し、  前記けん引フックが、前記アダプタに螺合により取付けられるねじ部と、該ねじ部に螺合して取り付けられて、該螺合によって、前記アダプタ及び前記ナンバープレート取付部材を締め付け固定する締付け固定部を有すること
を特徴としている。
【０００６】
本発明は、上記のけん引フック・ナンバープレート取付装置において、前記アダプタは、一端がテーパ状に突出して形成された凸テーパ部を有し、前記アダプタ装着部は、テーパ状に溝が形成された凹テーパ部を有し、該凹テーパ部が該凸テーパ部に嵌合されることを特徴としている。
【考案の効果】
【０００７】
本考案によって、アダプタが自動車けん引用のけん引フックの取付部を有しており、ナンバープレート取付部材がアダプタ装着部を有しているので、自動車のけん引フック取付部を利用したナンバープレートの取付を行う時に、けん引フックを取り付けた状態で、自動車の前部又は後部に対するナンバープレートステー取付角度を容易に調整することができる、けん引フック・ナンバープレート取付装置を提供することができる。
【図面の簡単な説明】
【０００８】
【図１】本考案の実施例におけるけん引フック・ナンバープレート取付装置の構造を平面図で示す図。
【図２】図１のけん引フック・ナンバープレート取付装置を正面から見た図。
【考案を実施するための形態】
【０００９】
以下、考案を実施するための形態を図面に基づいて説明する。
【００１０】
図１は、本考案の実施例（以下、本実施例と称する。）のけん引フック・ナンバープレート取付装置１００の構成を示す図である。図１の３は自動車の前部を示し、１は自動車の前部に備えられるけん引フック取付部（自動車側）１を示す。また、図２は、図１のけん引フック・ナンバープレート取付装置を正面から見た図である。
【００１１】
本実施例のけん引フック・ナンバープレート取付装置１００は、自動車の前部３又は後部（図示しない）に備えられるけん引フック取付部（自動車側）１に、ナンバープレート２を取り付けるナンバープレートステー１０が取り付けられることで、けん引フック取付部（自動車側）１にナンバープレート２が取り付けられるようにし、さらにけん引フック４０も取り付けられるようにしたけん引フック・ナンバープレート取付装置１００である。
【００１２】
具体的には、本実施例のけん引フック・ナンバープレート取付装置１００は、けん引フック取付部（自動車側）１に取り付けられるアダプタ２０と、このアダプタ２０に装着されるナンバープレート取付部材３０と、アダプタ２０に取付けられる自動車けん引用のけん引フック４０とからなり、このナンバープレート取付部材３０が、一方側に、ナンバープレートステー１０が取り付けられるナンバープレートステー取付部３１を有し、他方側に、ナンバープレートステー１０が、取付角が調整されて取り付けられ、アダプタ２０に装着されるアダプタ装着部３２を有する。
【００１３】
また、けん引フック４０が、アダプタ２０に螺合により取付けられるねじ部４２と、このねじ部４２に螺合して取り付けられて、この螺合によって、アダプタ２０及びナンバープレート取付部材３０を締め付け固定する締付け固定部４５を有する。
【００１４】
本実施例のけん引フック・ナンバープレート取付装置１００は、また、上記のけん引フック・ナンバープレート取付装置１００において、アダプタ２０は、一端がテーパ状に突出して形成された凸テーパ部２６を有し、アダプタ装着部３２は、テーパ状に溝が形成された凹テーパ部３６を有し、この凹テーパ部３６が凸テーパ部２６に嵌合される。
【００１５】
以下、本考案の実施例のけん引フック・ナンバープレート取付装置１００について詳述する。ここで、以下本実施例では、自動車の前部に備えられるけん引フック取付部（自動車側）１に適用する例について説明するが、自動車の後部に備えられるけん引フック取付部においても同様である。
【００１６】
アダプタ２０は、自動車のけん引フック取付部（自動車側）１側に、雄ねじ２１が形成される。ここで、けん引フック取付部（自動車側）１は、雌ねじ４が形成されることが一般的であり、この雌ねじ４に雄ねじ２１が螺合される。このようにして、アダプタ２０は、自動車の前部３に取付けられる。また、この雄ねじ２１、自動車の前部３と取付けられる構造であれば、ねじ以外の他の構造であってもよい。
【００１７】
また、アダプタ２０は、平面部２３が形成されている。この平面部２３は、雄ねじ２１の雌ねじ４に螺合される際、自動車の前部３の面に係止される。このように平面部２３は、雄ねじ２１と雌ねじ４との締め付けの限界点となる。
【００１８】
また、アダプタ２０は、ナンバープレート取付部材３０側に、丸棒状の丸棒部２５が設けられている。この丸棒部２５の端部すなわちアダプタ２０の端部２４に後述するナンバープレート取付部材３０が装着される。
【００１９】
ここで、丸棒部２５すなわちアダプタ２０には、六角ボルトの頭状の形状２７を有しており、これにより、この形状２７は、スパナ等の工具を当て嵌めるための形状であり、スパナ等の工具をこの形状２７に当て嵌めることで、容易に雌ねじ４と雄ねじ２１との螺合を行うことができる。
【００２０】
また、アダプタ２０は、ナンバープレート取付部材３０側に、けん引フック取付部として雌ねじ部が形成されている。この雌ねじ部は、後述するけん引フック４０の雄ねじからなるねじ部４２が螺合する。これら雌ねじ部、ねじ部４２により、自動車けん引用のけん引フック４０がけん引フック取付部（アダプタ側）２２に取付けられる。
【００２１】
ナンバープレート取付部材３０のアダプタ装着部３２は、円筒状に形成されている。また、このアダプタ装着部３２は、中空状部材からなり、上述の凹テーパ部３６と、けん引フック４０のねじ部４２を貫通させるための貫通孔３７を有する。
【００２２】
また、このアダプタ装着部３２は、テーパ状に溝が形成された凹テーパ部３６を有する。これに対し、アダプタ２０は、一端がテーパ状に突出して形成された凸デーパ部２６を有している。これら凸デーパ部２６、凹テーパ部３６の外径または内径はそれぞれが略同一の大きさとされる。これにより、凹テーパ部３６が凸テーパ部２６に嵌合される。すなわち、アダプタ２０にアダプタ装着部３２が装着されることとなる。なお、アダプタ２０とアダプタ装着部３２とは、アダブタ装着部３２の取付角が調整されてアダプタ２０に装着される構造であれば、上述した凸テーパ部２６もしくは凹テーパ部３６とは別の構造であってもよい。例えば、アダプタ装着部３２の外周からねじ等の部品を貫通させて、アダプタ２０へ押し付けて固定する構造としてもよい。
【００２３】
また、ナンバープレートステー取付部３１には、切欠き線３４を境にアダプタ２０の長手方向に溝３３が形成されており、この溝３３にナンバープレートステー１０の端部が嵌合される。
【００２４】
これにより、ナンバープレートステー１０の取付角度が固定された状態でナンバープレート取付部３２に取付けられる。これにより、ナンバープレートステー１０に取付けられたナンバープレート２の取付角度は、ナンバープレート取付部３２のアダプタ２０に対する取付角度に依存することとなる。
【００２５】
けん引フック４０は、従来の可倒式のけん引フックや不倒式のけん引フックが用いられ、アダプタ２０に取付けるための雄ねじからなるねじ部４２、このねじ部４２の締め付け限界をなす係止部４１、けん引ワイヤー等を設置するための環状部４４、環状部を回動可能に固定する固定部４３とからなる。
【００２６】
また、けん引フック４０とナンバープレートステー１０との間であって、けん引フック４０のねじ部４２に螺合されるに締付け固定部４５になるナット４６が設けられる。このナット４６によれば、けん引フック４０のねじ部４２がアダプタ２０に螺合されることでナンバープレート取付部３２のアダプタ２０への締め付け固定を行うことができる。
【００２７】
ナンバープレートステー１０は、その端部にけん引フック４０の雄ねじ４２を貫通させるための貫通孔１６が形成される。また、このナンバープレートステー１０の端部は、曲部１３が形成される。
【００２８】
また、ナンバープレートステー１０の正面には、ナンバープレート２を取付けるための雌ねじ１１、１２が形成され、ナンバープレート２を図示しない雄ねじにより雌ねじ１１、１２へ螺合することにより、ナンバープレートステー２０に取付ける構造となっている。この雌ねじの数は２個以上でもよいし、ナンバープレート２が取り付けられるものであれば別の構造であってもよい。
【００２９】
また、ナンバープレートステー１０は、ナンバープレート取付部３２側の端部から反対側の端部に亘り傾斜部１５が形成されている。これにより、ナンバープレート２を自動車の後部に取付けた時、自動車後部からよりはっきり見える位置に取付けることができる。また、ナンバープレートステー１０には斜部１４が形成されている。この斜部１４の形成箇所は、ナンバープレートステー１０の強度の確保と軽量化との兼ね合いにより、長手方向の別の位置が変更され得る。これら斜部１４、傾斜部１５は設けなくともよい。
【００３０】
以上の構成により、ナンバープレート取付部３２をアダプタ２０に装着する際に、アダプタ２０に対する、ナンバープレート取付部３２の角度を設定した上で、このアダプタ２０に装着させ、けん引フック４０のアダプタ２０への取付け及びねじ部４２のアダプタ２０及びナンバープレート取付部材３２の締付けにより、ナンバープレート２をアダプタ２０に対して取付角を設定した状態でナンバープレート取付部材３２をアダプタ２０に固定することができる。
【００３１】
さらに、本実施例は、アダプタ２０の凸テーパ部２６にナンバープレート取付け部材３２の凹テーパ部３６を嵌合して装着するために、ナンバープレート２の取付け角度の調整を連続的に行うことができるので、より細かな取付角度の調整を行うことができる。
【００３２】
本実施例は、上述の構成であるために、ナンバープレートステー１０を取付けた後にけん引フック４０を取付けたままにできるので、けん引フック４０の取付のためにナンバープレートステー１０を取り外すことを要しない。
【００３３】
また、アダプタ２０の雄ねじ２１に環状の緩み止めワッシャー５０を貫通させた上で自動車の前部に螺合して固定することで、自動車の走行等によるねじの緩もうとする力が緩み止めワッシャー５０に付与されるので、雄ねじ２１へは揺るもうとする力が付与されず、結果として雄ねじ２１が緩むことはなくなる。これにより、自動車の振動等にも強いけん引フック・ナンバープレート取付装置を提供することができる。
【００３４】
このように、本実施例によれば、アダプタが自動車けん引用のけん引フックの取付部を有しており、ナンバープレート取付部材がアダプタ装着部を有しているので、自動車のけん引フック取付部を利用したナンバープレートの取付を行う時に、けん引フックを取り付けた状態で、自動車の前部又は後部に対するナンバープレートステー取付角度を容易に調整することができる、けん引フック・ナンバープレート取付装置を提供することができる。
【００３５】
本実施例のけん引フック・ナンバープレート取付装置は以上の構成であるが、上述の本実施例の効果を奏するものであれば別の構造でもよく、上述した構造に限定されるものではない。
【符号の説明】
【００３６】
１…けん引フック取付部（自動車側）、２…ナンバープレート、１０…ナンバープレートステー、２０…アダプタ、２２…けん引フック取付部（アダプタ側）、２４…アダプタの端部、３０…ナンバープレート取付部材、３２…装着部、４０…けん引フック、４５…締付け固定部、１００…けん引フック・ナンバープレート取付装置。
【図１】
0003223447.tif 000003
【図２】
0003223447.tif 000004